(57)【要約】【課題】ファンユニット及びバッテリを送風機（扇風機）として有効利用することができるファンユニット用アタッチメントを提供する。【解決手段】バッテリから電力が供給されるファンユニット３，３を着脱可能に取り付けるためのファンユニット取付部１９，１９と、ファンユニット取付部１９，１９に取り付けられたファンが吸気した外気を外部へ吹き出すための吹出部２０と、ファンユニット取付部１９，１９から吹出部２０まで連通させ、ファンユニット取付部１９，１９から吸い込まれた外気を吹出部２０へ案内する気流案内部と、を有するハウジング２２を備えている。【選択図】図１
2020139486.tif 000002
【特許請求の範囲】
【請求項１】
バッテリから電力が供給されるファンユニットを着脱自在に取り付けるためのファンユニット取付部と、該ファンユニット取付部に取り付けられたファンユニットが吸気した外気を外部へ吹き出す吹出部と、前記ファンユニット取付部から前記吹出部まで連通させ、該ファンユニット取付部から吸い込まれた外気を該吹出部へ案内する気流案内部と、を有するハウジングを備えていることを特徴とするファンユニット用アタッチメント。
【請求項２】
前記ファンユニット取付部の開口方向と前記吹出部の開口方向が異なることを特徴とする請求項１に記載のファンユニット用アタッチメント。
【請求項３】
前記ファンユニットは、前記駆動部と前記バッテリとを接続するためのコードを備え、前記ファンユニット取付部は、前記コードを前記ファンユニット取付部の外部へ取り出すためのコード貫通部を備えていることを特徴とする請求項１又は２に記載のファンユニット用アタッチメント。
【請求項４】
前記バッテリを着脱可能に保持するバッテリ保持部を備えていることを特徴とする請求項１〜３のうちのいずれか１項に記載のファンユニット用アタッチメント。
【請求項５】
前記バッテリ保持部は、前記ファンユニット取付部よりも下方に配置されていることを特徴とする請求項４に記載のファンユニット用アタッチメント。
【請求項６】
前記ハウジングは、筒状体に構成され、該筒状体の両端部のそれぞれに前記ファンユニット取付部を備えていることを特徴とする請求項１〜５のうちのいずれか１項に記載のファンユニット用アタッチメント。
【請求項７】
前記ハウジングは、前記ファンユニット取付部を複数備えていることを特徴とする請求項１〜６のうちのいずれか１項に記載のファンユニット用アタッチメント。
【請求項８】
前記気流案内部は、前記ハウジングと、複数の前記ファンユニット取付部に取り付けられたそれぞれのファンユニットから吸気される外気が、それぞれ案内されるように前記ハウジング内を複数の空間に区画する仕切り部と、を備えていることを特徴とする請求項７に記載のファンユニット用アタッチメント。
【発明の詳細な説明】
【技術分野】
【０００１】
本発明は、ファンユニット用アタッチメントに関する。
【背景技術】
【０００２】
特に、夏場の高温環境下で作業者が各種の作業を行う場合に、体温の上昇を抑制するために、例えば特許文献１のようなファン及び該ファンを回転させる駆動部を含むファンユニットと、ファンユニットの駆動部に電力を供給するためのバッテリと、を備えた衣服を作業者が着用している。
【先行技術文献】
【特許文献】
【０００３】
【特許文献１】特開２０１８−１０５２２６号公報
【発明の概要】
【発明が解決しようとする課題】
【０００４】
上記特許文献１の衣服では、衣服を洗濯したい場合や衣服を使用しない場合に、衣服に対してファンユニット及びバッテリを取り外すことができるように構成されている。これら取り外したファンユニット及びバッテリは、遊休状態にある。
【０００５】
これらを、例えば送風機（扇風機）として有効利用することができれば便利であるとの知見を本願の発明者が得た。
【０００６】
本発明が前述の状況に鑑み、解決しようとするところは、ファンユニットを据え置きで利用することができるファンユニット用アタッチメントを提供することにある。
【課題を解決するための手段】
【０００７】
本発明のファンユニット用アタッチメントは、前述の課題解決のために、バッテリから電力が供給されるファンユニットを着脱自在に取り付けるためのファンユニット取付部と、該ファンユニット取付部に取り付けられたファンユニットが吸気した外気を外部へ吹き出す吹出部と、前記ファンユニット取付部から前記吹出部まで連通させ、該ファンユニット取付部から吸い込まれた外気を該吹出部へ案内する気流案内部と、を有するハウジングを備えていることを特徴としている。
【０００８】
上記構成によれば、ファンユニット取付部にファンユニットを取り付けることにより、送風機（扇風機）として利用することができる。したがって、ファンユニット取付部に取り付けられたファンユニットをバッテリからの電力供給により駆動させることにより、外気をハウジング内に吸い込む。吸い込まれた外気は、気流案内部で吹出部まで案内され、吹出部から吹き出される。これによって、衣服用のファンユニット及びバッテリを送風機（扇風機）として据え置きで利用することができる。
【０００９】
また、本発明のファンユニット用アタッチメントは、前記ファンユニット取付部の開口方向と前記吹出部の開口方向が異なっていてもよい。
【００１０】
上記のように、ファンユニット取付部の開口方向と吹出部の開口方向とが異なっていれば、気流方向を変換することができる。
【００１１】
また、本発明のファンユニット用アタッチメントは、前記ファンユニットが、前記駆動部と前記バッテリとを接続するためのコードを備え、前記ファンユニット取付部は、前記コードを前記ファンユニット取付部の外部へ取り出すためのコード貫通部を備えていてもよい。
【００１２】
上記構成によれば、コードをコード貫通部に貫通させるだけでファンユニット取付部の外部へ取り出すことができ、コードの取り回し作業を容易に行える。
【００１３】
また、本発明のファンユニット用アタッチメントは、前記駆動部へ電力を供給するバッテリを着脱可能に保持するバッテリ保持部を備えていてもよい。
【００１４】
上記構成によれば、バッテリをバッテリ保持部に保持させることにより、ファンユニットとバッテリを一体化させることができる。よって、持ち運びにも便利になる。
【００１５】
また、本発明のファンユニット用アタッチメントは、前記バッテリ保持部が、前記ファンユニット取付部よりも下方に配置されていてもよい。
【００１６】
上記のように、重量のあるバッテリを保持するバッテリ保持部が、ファンユニット取付部よりも下方に配置されていれば、ファンユニット用アタッチメントの重心を低い位置にすることができる。よって、ファンユニット用アタッチメントが、ファンユニット及びバッテリを安定して支持することができる。
【００１７】
また、本発明のファンユニット用アタッチメントは、前記ハウジングが、筒状体に構成され、該筒状体の両端部のそれぞれに前記ファンユニット取付部を備えていてもよい。
【００１８】
上記のように、筒状体の両端部のそれぞれにファンユニット取付部を備えることによって、両端部のファンユニット取付部にファンユニットを取り付けて両端部のファンを回転させた際の気流により生じる力のバランスを良好に保つことができる。
【００１９】
また、本発明のファンユニット用アタッチメントは、前記ハウジングが、前記ファンユニット取付部を複数備えていてもよい。
【００２０】
上記のように、ファンユニット取付部を複数備えることで、吹出部からの吹出風量を増大させることができる。
【００２１】
また、本発明のファンユニット用アタッチメントは、前記気流案内部が、前記ハウジングと、複数の前記ファンユニット取付部に取り付けられたそれぞれのファンユニットから吸気される外気が、それぞれ案内されるように前記ハウジング内を複数の空間に区画する仕切り部と、を備えていてもよい。
【００２２】
上記のように、仕切り部を備えることによって、複数のファンユニットにより吸気された外気同士が衝突して吹出風量が減少することを防止することができる。よって、吹出部から効率よく外気を吹き出すことができる。
【発明の効果】
【００２３】
本発明のファンユニット用アタッチメントによれば、ファンユニットを据え置きで利用することができる。
【図面の簡単な説明】
【００２４】
【図１】本発明のファンユニット用アタッチメントに、バッテリを保持させるとともにファンユニットを取り付ける直前の状態を示す斜視図である。
【図２】同ファンユニット用アタッチメントに、バッテリを保持させるとともにファンユニットを取り付けた状態を示す斜視図である。
【図３】同ファンユニット用アタッチメントにバッテリを保持させるとともにファンユニットを取り付けた状態を示す正面図である。
【図４】図３におけるＩＶ−ＩＶ線断面図である。
【図５】図３におけるＶ−Ｖ線断面図である。
【図６】図３におけるＶＩ−ＶＩ線断面図である。
【図７】本発明のファンユニット用アタッチメントに、図２で示したバッテリよりも小さなバッテリを保持させるとともにファンユニットを取り付けた状態を示す斜視図である。
【図８】図７で示したバッテリを収容した部分の縦断側面図である。
【発明を実施するための形態】
【００２５】
以下、本発明のファンユニット用アタッチメントを、図面を参照しながら説明する。
【００２６】
図１では、ファンユニット用アタッチメント１に、バッテリ２を保持させるとともに２個のファンユニット３，３を取り付ける直前の状態を示している。また、図２では、ファンユニット用アタッチメント１に、バッテリ２を保持させるとともに２個のファンユニット３，３を取り付けて２個のファンユニット３，３を据え置きで使用できる状態を示している。ここでは、２個のファンユニット３，３、ファンユニット３，３へ電力を供給するバッテリ２、ファンユニット３，３とバッテリ２とを接続するためのコード４（図１にファンユニット３の駆動部に接続される側のコード４を図示している）は、図示していない衣服に装着されている状態から取り外してから、ファンユニット用アタッチメント１に装着することで、送風機（扇風機）を構成している。なお、図２に示すように、ファンユニット３，３の回転軸方向を左右方向とし、バッテリ２の収納方向を前後方向として、以下において説明する。
【００２７】
各ファンユニット３は、図１、図２、図４、図５に示すように、外気を吸い込むための複数枚（図４では５枚）の羽根５Ａを備えるファン５と、ファン５を駆動するための駆動部としてのモータ６と、モータ６及びファン５を収容するケーシング７と、ケーシング７に着脱自在に取り付けられ衣服にファンユニット３を取り付けるための保持リング８と、を備えている。
【００２８】
ケーシング７は、外形が円形状に構成され、合成樹脂製の吸気側ケーシング９と、この吸気側ケーシング９に係止により一体化される合成樹脂製の排気側ケーシング１０と、を備えている。
【００２９】
排気側ケーシング１０は、多数の排気孔１１Ａが形成されたドーム形状のケーシング本体１１と、ケーシング本体１１の頂部に形成された円形の開口を閉じる円形のキャップ１２と、を備えている。そして、ケーシング本体１１にモータ６が保持される。また、ケーシング本体１１の頂部近傍に電源供給用のコード４（図１参照）の先端に備えるコネクタ４Ａ（図１参照）を差し込むための差し込み口（図示せず）が形成されている。
【００３０】
吸気側ケーシング９は、図１、図２、図３及び図５にも示すように、外周縁に位置する外周縁部１３と、最も内側となる中心部に位置するフラットな円形状の板部１４と、外周縁部１３と板部１４との間に多数の吸気孔１５Ａが形成された枠部１５と、を備えている。板部１４が左右方向外側端（吸い込み方向前端）に位置し、かつ、外周縁部１３が板部１４よりも僅かに左右方向内側（吸い込み方向後側）に位置している。そして、外周縁部１３の内周縁と板部１４の外周縁とを連結する前記枠部１５が、図３に示すように、後方に向かって徐々に左右方向内側（吸い込み方向後側）に位置する緩やかなテーパー形状に構成されている。このように吸気側ケーシング９を構成することによって、ケーシング７の左右方向（吸い込み方向）での小型化（薄型化）を図ることができる。
【００３１】
外周縁部１３は、図１〜図３に示すように、外形が略円形で所定幅を有する円環板状からなり、円周方向において間隔をおいて複数（図１では８個）の厚肉部１３Ａを備えている。また、図５に示すように、外周縁部１３は、外気を排気側ケーシング１０側へ案内すべく、それの内周縁から左右方向内方（吸い込み方向後方）へ延びる円筒状の側壁部１６を備えている。側壁部１６の外面の前後方向中間部に、後述する保持リング８の雌ネジ部１７Ｎが螺合する雄ネジ部１６Ｎが形成されている。
【００３２】
保持リング８は、外周縁部１３の側壁部１６よりも大きな径を有する円筒状部１７と、円筒状部１７の左右方向端部（吸い込み方向前端部）に径方向外側に向けて周設されたフランジ部１８と、を備えている。保持リング８のフランジ部１８の外径は、外周縁部１３の外径と略同一である。また、保持リング８の円筒状部１７の内周面の左右方向中間部（吸い込み方向方向中間部）に、外周縁部１３の側壁部１６の雄ネジ部１６Ｎが螺合する雌ネジ部１７Ｎが形成されている。そして、保持リング８のフランジ部１８の左右方向外側端面（吸い込み方向前面）が、図示していない衣服の裏面に当接する一方の挟持面を構成し、該挟持面と対向する外周縁部１３の左右方向内側端面（吸い込み方向後面）が、衣服の表面に当接する他方の挟持面を構成している。また、図１及び図４に示すように、円筒状部１７の外面には、径方向外側に突出する凸部１７Ａと径方向内側に引っ込んだ凹部１７Ｂとが周方向に交互に形成されている。凸部１７Ａの周方向の長さと凹部１７Ｂの周方向の長さとが略同一に構成されるとともに、凸部１７Ａの数と凹部１７Ｂの数とが、同数（ここではいずれも１０個）になっている。
【００３３】
したがって、保持リング８の一方の挟持面と外周縁部１３の他方の挟持面との間に衣服が入り込む隙間が発生するように、保持リング８を外周縁部１３の側壁部１６にねじ込んだ後、保持リング８の一方の挟持面と外周縁部１３の他方の挟持面との間に衣服を挟み込む。この状態で保持リング８を外周縁部１３の側壁部１６に更にねじ込むことで保持リング８の一方の挟持面と外周縁部１３の他方の挟持面とで衣服を挟持する。これにより、各ファンユニット３を衣服に固定することができる。
【００３４】
ファンユニット用アタッチメント１は、図１に示すように、複数（ここでは２個）のファンユニット３，３をそれぞれ取り付けるための複数（ここでは２個）のファンユニット取付部１９，１９と、複数（ここでは２個）のファンユニット３，３により吸い込まれた外気を外部へ吹き出す吹出部２０と、ファンユニット取付部１９，１９から吹出部２０まで連通させることによりファンユニット取付部１９，１９から吸い込まれた外気を吹出部２０まで案内する気流案内部２１（図６参照）と、を有するハウジング２２と、ハウジング２２に一体形成されバッテリ２を着脱可能に保持するバッテリ保持部２３と、を備えている。ここでは、バッテリ保持部２３とハウジング２２とを一体形成しているが、別体形成したバッテリ保持部２３とハウジング２２とを接着剤や係合機構等により連結する構成であってもよい。バッテリ２をバッテリ保持部２３に保持させることにより、ファンユニット３，３とバッテリ２を一体化させることができる。よって、持ち運びにも便利になる。バッテリ２は、図６に示すように、５個のセル２Ａと、５個のセル２Ａを収容するケーシング２Ｂと、を備えている。また、バッテリ２には、ファンユニット３から延びるコード４の端に備えるプラグ（図示せず）を接続可能な接続端子（図示せず）を備えている。ここでは、複数（ここでは２個であるが、３個以上でもよい）のファンユニット取付部１９，１９を備えることによって、吹出部２０からの吹出風量を増大させることができるが、１個のファンユニット取付部１９を備えたファンユニット用アタッチメント１であってもよい。
【００３５】
ハウジング２２は、左右に分割された２つの部材２２Ａ，２２Ｂからなり、両部材２２Ａ，２２Ｂを互いに突き合せて一方の部材２２Ａに備える凸部（図示せず）を他方の部材２２Ｂに備える凹部（図示せず）に係合することによって、両部材２２Ａ，２２Ｂを仮止めすることができる。仮止め後は、図２及び図４に示すように、ハウジング２２の外周縁の４か所に一体形成されたネジ孔を備える一対のボス部３５，３５の一方のボス部３５に形成の開口からビス２４をねじ込むことにより２つの部材２２Ａ，２２Ｂを締結する。なお、両部材２２Ａ，２２Ｂの間に吹出部２０を配置した後、両部材２２Ａ，２２Ｂを突き合せて係合させることにより、両部材２２Ａ，２２Ｂ間に吹出部２０を配置した状態で組み付けることになる。両部材２２Ａ，２２Ｂを締結して構成されたハウジング２２は、筒状体（図では円筒状体）を形成し、その円筒状体の両端部の円形の開口にファンユニット取付部１９，１９を形成する（図１参照）。両端部に形成されたファンユニット取付部１９，１９にファンユニット３，３を取り付けて両端部のファン５，５を回転させた際の気流により生じる力のバランスを良好に保つことができる。
【００３６】
各ファンユニット取付部１９には、図１に示すように、保持リング８の円筒状部１７の凸部１７Ａが嵌合する取付側凹部１９Ｂと、保持リング８の円筒状部１７の凹部１７Ｂが嵌合する取付側凸部１９Ａと、が周方向に交互に形成されている。なお、取付側凸部１９Ａの周方向の長さと取付側凹部１９Ｂの周方向の長さとが略同一に構成されるとともに、取付側凸部１９Ａの数と取付側凹部１９Ｂの数とが、同数（ここではいずれも１０個）になっている。また、複数の取付側凸部１９Ａに、ゴム等からなる弾性部材２５を保持するための凹部１９ａが形成されている。弾性部材２５は、吸い込み方向に長い円柱状体からなっている。また、凹部１９ａは、径方向内側が開放されており、凹部１９ａに挿入した弾性部材２５は、径方向内側の開口から一部が径方向内側に突出した状態で保持されている。
【００３７】
したがって、各ファンユニット取付部１９に吸い込み方向からファンユニット３を挿入することによって、保持リング８の円筒状部１７の凸部１７Ａとファンユニット取付部１９の取付側凹部１９Ｂとが嵌合するとともに保持リング８の円筒状部１７の凹部１７Ｂとファンユニット取付部１９の取付側凸部１９Ａとが嵌合する。嵌合に合わせて、複数（ここでは４個）の弾性部材２５が保持リング８の円筒状部１７の凹部１７Ｂとの当接により弾性部材２５を凹部１９ａ側に移動させる。よって、弾性部材２５が径方向内側へ戻ろうとする復元力が保持リング８の円筒状部１７の凹部１７Ｂに作用して、ファンユニット３がファンユニット取付部１９に強固に取り付けられる。なお、ファンユニット取付部１９に取り付けられたファンユニット３は、弾性部材２５の復元力に抗して左右方向外側（吸い込み方向前側）に引き抜かれることでファンユニット取付部１９から取り外すことができる。
【００３８】
また、各ファンユニット取付部１９には、吸い込み方向外側に開口する切欠き１９Ｋ（図１参照）が形成されている。この切欠き１９Ｋは、モータ６に接続されるコード４をファンユニット取付部１９の外部へ引き出すためのコード貫通部を構成している。したがって、ファンユニット取付部１９にファンユニット３を取り付けた状態において、ハウジング２２の内部に位置するコード４（図１参照）を切欠き１９Ｋを通してハウジング２２の外部に引き出してバッテリ２に容易に接続することができる。前記引き出された邪魔な長さ分のコード４を巻き付けておくための巻付部２６（図５参照）をハウジング２２の下端部側の後端部に備えている。巻付部２６は、コード４を巻き付けるべく左右方向に長い巻付本体２６Ａと、巻き付けられたコード４が後端から外れないように保持する上下方向に延びるストッパー部２６Ｂと、を備えている。
【００３９】
バッテリ保持部２３は、図１及び図２に示すように、ハウジング２２を構成する２つの部材２２Ａ，２２Ｂそれぞれの下端から下方に延びる２つの下側部材２３Ａ，２３Ｂから構成されている。ハウジング２２と同様に、２つの下側部材２３Ａ，２３Ｂを互いに突き合せて一方の下側部材２３Ａに備える凸部（図示せず）を他方の下側部材２３Ｂに備える凹部（図示せず）に係合することによって、両下側部材２３Ａ，２３Ｂを仮止めすることができる。仮止め後は、前述したビス２４により２つの下側部材２３Ａ，２３Ｂを締結する。
【００４０】
また、バッテリ保持部２３は、前端にバッテリ２を挿入可能な開口２３Ｋ（図４及び図６参照）を備え、前端の左右のそれぞれに上方に突出する突起２３Ｔ（図１参照）を備えている。したがって、バッテリ保持部２３に収容されているバッテリ２の前端が突起２３Ｔ，２３Ｔに当接することで、バッテリ保持部２３からバッテリ２が開口２３Ｋを通してバッテリ保持部２３の外部へ飛び出すことを防止できる。なお、バッテリ保持部２３の後端部の左右両端部に下方に突出して床面等に接地する後側脚部２７，２７（図１〜図３参照）を備えている。また、バッテリ保持部２３の底板部２３Ｃの前端部２３ｃを後側ほど下方に突出させて凹部に形成するとともに、前端部２３ｃの前後方向中間部に下方に突出するように前記一対のボス部３５，３５を形成している。この一対のボス部３５，３５が、床面等に接地する左右の前側脚部２８を構成している。前記ボス部３５，３５は、ビス２４により２つの下側部材２３Ａ，２３Ｂを連結するためのビス締結部を兼用している。そして、前記形成された凹部に、図６で示したバッテリ２よりも前後寸法が小さな第２のバッテリ２９（図７、図８参照）を収容することができる。図７、図８に示す、第２のバッテリ２９は、２個のセル２９Ａと、２個のセル２９Ａを収容可能な前後寸法を有するケーシング２９Ｂと、を備えている。ケーシング２９Ｂの後端部には、円弧状に湾曲した湾曲部２９Ｃを備えている。
【００４１】
前端部２３ｃは、図４、図６、図８に示すように、前端から後側に向かうほど下方に位置する直線状の傾斜板部３０と、傾斜板部３０の後端から後側に向かうほど上端側に位置するように湾曲する円弧部３１と、を備えている。この円弧部３１の前面３１Ａにバッテリ２９のケーシング２９Ｂの湾曲部２９Ｃの下側部分が当接する（図８参照）とともに、バッテリ２９の前端が前記突起２３Ｔ，２３Ｔに当接することで、バッテリ保持部２３からバッテリ２９が開口２３Ｋを通してバッテリ保持部２３の外部へ飛び出すことを防止できる。
【００４２】
吹出部２０は、合成樹脂から構成され、図１、図２、図６に示すように、２枚の左右側板２０Ａ，２０Ｂと２枚の上下側板２０Ｃ，２０Ｄで構成されている。左右側板２０Ａ，２０Ｂは、前端側ほど幅狭な台形状に構成されており、吹出部２０が吹出口側ほど先絞り形状に構成されている。そして、吹出部２０は、ハウジング２２を左右２つの空間に区画する仕切り部としての仕切り板３２の前端から延びる板状の延出部３２Ａで左右方向に２つの空間に仕切られており、吹出部２０の前端に矩形状の左右一対の吹出口２０ａ，２０ｂが形成されている。仕切り部は、複数（ここでは２個）のファンユニット取付部１９，１９に取り付けられたそれぞれのファンユニット３から吸気される外気が、それぞれ案内されるようにハウジング２２内を複数の空間に区画するものである。前記仕切り部を備えることによって、複数のファン５，５により吸気された外気同士が衝突して吹出風量が減少することを防止することができる。よって、吹出部２０から効率よく外気を吹き出すことができる。
【００４３】
これらハウジング２２と仕切り板３２とで、ファンユニット３から吸い込んだ外気を吹出部２０まで案内する気流案内部２１（図６参照）を構成している。例えば左側のファンユニット３から吸い込んだ外気は、仕切り板３２に当たってファンユニット取付部１９の開口方向と異なる方向、つまり前側に案内されて、吹出部２０の左側の吹出口２０ａから吹き出される。また、右側のファンユニット３から吸い込んだ外気は、仕切り板３２に当たってファンユニット取付部１９の開口方向と異なる方向、つまり前側に案内されて、吹出部２０の右側の吹出口２０ｂから吹き出される。
【００４４】
また、吹出部２０は、ハウジング２２の前端部に形成の上下開口２２Ｋに装着され、その上下開口２２Ｋの上下幅内で移動することで角度を調整できる調整機構を備えている。調整機構は、吹出部２０の上側板２０Ｃの基端部から上方に延びる円弧状の上板部３３と、吹出部２０の下側板２０Ｄの基端部から下方に延びる円弧状の下板部３４と、を備えている。図５に示すように、吹出部２０の左右板部２０Ａ，２０Ｂの基端部には、左右方向外側に延びるフランジ２０Ｆ，２０Ｇが形成され、これらフランジ２０Ｆ，２０Ｇの端面がハウジング２２の左右側壁３６，３７の内面に当接することにより吹出部２０のハウジング２２に対する左右方向の位置を規制できる。また、上板部３３及び下板部３４は、吹出部２０の角度が変更された場合でも、上下開口２２Ｋを閉じた状態を維持することができるように周方向の長さが設定されている。また、吹出部２０を最も上向きに角度変更したときに上下開口２２Ｋの上端縁２２ａに当接する上側段部２０ｄを吹出部２０の上側板２０Ｃの基端部に備え、かつ、吹出部２０を最も下向きに角度変更したときに上下開口２２Ｋの下端縁２２ｂに当接する下側段部２０ｅを吹出部２０の下側板２０Ｄの基端部に備えている。図６に、吹出部２０を最も上向きに角度変更した場合と、吹出部２０を最も下向きに角度変更した場合と、２点鎖線で示している。
【００４５】
尚、本発明は、前記実施形態に限定されるものではなく、本発明の要旨を逸脱しない範囲で種々の変更が可能である。
【００４６】
前記実施形態では、２つの吹出口２０ａ，２０ｂを備えた吹出部２０としたが、仕切り板３２を吹出部２０まで延ばさずにハウジング２２のみに設けて、１つの吹出口を備えた吹出部としてもよい。
【００４７】
また、前記実施形態では、バッテリ保持部２３を前方が開放された箱型形状に構成したが、バッテリ２を下方から載置支持する前後一対のアーム部をハウジング２２の下端に備えたバッテリ保持部であってもよいし、またバッテリ２を係止により保持する左右一対の係止爪を備えたバッテリ保持部であってもよい。
【００４８】
また、前記実施形態では、ファンユニット３がケーシング７を備えたものであったが、ケーシング７の無いファンユニットであってもよいし、吸気側のケーシングのみ備えたものであってもよい。
【００４９】
また、前記実施形態では、バッテリ２と駆動部とをコードで接続したが、無線通信で接続するようにしてもよい。
【００５０】
また、前記実施形態では、気流案内部２１をハウジング２２と仕切り板３２とで構成したが、例えばファンユニット３の排気側に接続するダクトから気流案内部を構成してもよい。
【００５１】
また、前記実施形態では、ハウジング２２とは別体形成した吹出部２０をハウジング２２に組み込むことにより吹出部２０をハウジング２２に備えたが、吹出部２０をハウジング２２に一体形成することにより、吹出部２０をハウジング２２に備えてもよい。
【００５２】
また、前記実施形態では、バッテリ保持部２３を備えているファンユニット用アタッチメント１を示したが、バッテリ保持部２３の無いファンユニット用アタッチメント１であってもよい。この場合、バッテリ２をファンユニット用アタッチメント１の近傍に置いて、バッテリ２とファンユニット３，３とをコードあるいは無線通信により接続して使用することになる。
【符号の説明】
【００５３】
１…ファンユニット用アタッチメント、２…バッテリ、２Ａ…セル、２Ｂ…ケーシング、３…ファンユニット、４…コード、４Ａ…コネクタ、５…ファン、５Ａ…羽根、６…モータ、７…ケーシング、８…保持リング、９…吸気側ケーシング、１０…排気側ケーシング、１１…ケーシング本体、１１Ａ…排気孔、１２…キャップ、１３…外周縁部、１３Ａ…厚肉部、１４…板部、１５…枠部、１５Ａ…吸気孔、１６…側壁部、１６Ｎ…雄ネジ部、１７…円筒状部、１７Ａ…凸部、１７Ｂ…凹部、１７Ｎ…雌ネジ部、１８…フランジ部、１９…ファンユニット取付部、１９Ａ…取付側凸部、１９Ｂ…取付側凹部、１９Ｋ…切欠き、１９ａ…凹部、２０…吹出部、２０Ａ，２０Ｂ…左右側板、２０Ｃ…上側板、２０Ｃ，２０Ｄ…上下側板、２０Ｄ…下側板、２０Ｆ，２０Ｇ…フランジ、２０ａ…吹出口、２０ａ，２０ｂ…吹出口、２０ｄ…上側段部、２０ｅ…下側段部、２１…気流案内部、２２…ハウジング、２２Ａ，２２Ｂ…部材、２２Ｋ…上下開口、２２ａ…上端縁、２２ｂ…下端縁、２３…バッテリ保持部、２３Ａ，２３Ｂ…下側部材、２３Ｃ…底板部、２３Ｋ…開口、２３Ｔ…突起、２３ｃ…前端部、２４…ビス、２５…弾性部材、２６…巻付部、２６Ａ…巻付本体、２６Ｂ…ストッパー部、２７…後側脚部、２８…前側脚部、２９…第２のバッテリ、２９Ａ…セル、２９Ｂ…ケーシング、２９Ｃ…湾曲部、３０…傾斜板部、３１…円弧部、３１Ａ…前面、３２…仕切り板、３２Ａ…延出部、３３…上板部、３３Ａ…部分、３４…下板部、３５…ボス部、３６，３７…側壁
【図１】
2020139486.tif 000003
【図２】
2020139486.tif 000004
【図３】
2020139486.tif 000005
【図４】
2020139486.tif 000006
【図５】
2020139486.tif 000007
【図６】
2020139486.tif 000008
【図７】
2020139486.tif 000009
【図８】
2020139486.tif 000010